(57)【特許請求の範囲】
【請求項１】
入口と出口とを備え、前記入口の幅と前記出口の幅が異なり、前記入口および前記出口のうちいずれか一方では複数の電線が並列に配索されない幅を有するプロテクタ内に外径が異なる複数の電線が配索された電線配索構造であって、前記入口側で第一方向に向かって外径が大きくなるような配列順で前記複数の電線が配索され、前記入口と前記出口との間で前記複数の電線が最大外径の電線を中心として捩られて前記第一方向とは交差する方向に向かって外径が大きくなるような順で配列され、前記出口側で前記第一方向に略垂直な第二方向に向かって外径が大きくなるような配列順で前記複数の電線が配索された電線配索構造。
【請求項２】
入口と出口とを備え、前記入口の幅と前記出口の幅が異なり、前記入口および前記出口のうちいずれか一方では複数の電線が並列に配索されない幅を有するプロテクタ内に外径が異なる複数の電線を配索する電線配索方法であって、前記複数の電線を、前記入口側で第一方向に向かって外径が大きくなるような配列順にして、最大外径の電線を中心としてそれら複数の電線を捩って前記出口側で前記第一方向に略垂直な第二方向に向かって外径が大きくなるような配列順にして、前記プロテクタ内に配索する電線配索方法。
【発明の詳細な説明】
【０００１】
【発明の属する技術分野】
本発明は、自動車等に適用するのに好適な、電線配索構造及び電線配索方法に関する。
【０００２】
【従来の技術】
従来、自動車等の電気系統の車内配線にワイヤーハーネス（組電線）が多用されている。ワイヤーハーネスは、ハーネスクランプ等の固定具により車体に固定されるとともに、車体の所定位置に配設されたプロテクタ内にその一部を収容されて、車体に配索される。
【０００３】
プロテクタには様々な形態がある。特開平８−１４０２７３号公報には、図４に示すようなプロテクタ８５が開示されている。このプロテクタ８５は、底壁８５ａの両側に側壁８５ｂを立設した長尺状のものであって、その長手方向中間が屈曲されている。底壁８５ａ上には、その屈曲部分において長手方向に沿って延びる区画壁８７が設けられている。区画壁８７によって、この屈曲したプロテクタ８５に、内周側配索経路と外周側配索経路とが区画されている。区画壁８７には、外周側配索経路側に突出する固定鉤部８８が設けられている。
【０００４】
ここでは、内周側配索経路に複数の電線８２が配索され、外周側配索経路にウォッシャーホース８３が配索されている。ウォッシャーホース８３を内周側配索経路に配索すると、内周側の側壁８５ｂによってウォッシャーホース８３が押しつぶされる心配があるからである。
ウォッシャーホース８３を、外周側経路に配索したことにより、ウォッシャーホース８３が押しつぶされることはなくなるが、ウォッシャーホース８３がプロテクタ８５内から飛び出し易くなる。そこで、固定鉤部８８によって、ウォッシャーホース８３の飛び出しを防いでいる。
このプロテクタ８５によれば、電線８２及びウォッシャーホース８３を適切に保持できる。
【０００５】
【発明が解決しようとする課題】
ところで、屈曲したプロテクタ内に、外径が異なる複数種の電線を配索する場合がある。この場合、各電線のプロテクタ内における配索経路は特に決められておらず、大径の電線がプロテクタの内周側に配索されたり、大径及び小径の電線が不規則に絡み合った状態でプロテクタ内に配索されたりしていた。そしてこの場合、各ワイヤーハーネスをプロテクタ内に配索した後、プロテクタをカバーで覆うまでの間に、それら電線がプロテクタ内から飛び出して外れてしまうことがあった。
【０００６】
本発明は、このような事情に鑑みてなされたもので、その目的は、プロテクタから電線が外れてしまうことがない電線配索構造及び電線配索方法を提供することにある。
【０００７】
本発明の上記目的は、下記構成によって達成される。
（１）入口と出口とを備え、前記入口の幅と前記出口の幅が異なり、前記入口および前記出口のうちいずれか一方では複数の電線が並列に配索されない幅を有するプロテクタ内に外径が異なる複数の電線が配索された電線配索構造であって、前記入口側で第一方向に向かって外径が大きくなるような配列順で前記複数の電線が配索され、前記入口と前記出口との間で前記複数の電線が最大外径の電線を中心として捩られて前記第一方向とは交差する方向に向かって外径が大きくなるような順で配列され、前記出口側で前記第一方向に略垂直な第二方向に向かって外径が大きくなるような配列順で前記複数の電線が配索された電線配索構造。
（２）入口と出口とを備え、前記入口の幅と前記出口の幅が異なり、前記入口および前記出口のうちいずれか一方では複数の電線が並列に配索されない幅を有するプロテクタ内に外径が異なる複数の電線を配索する電線配索方法であって、前記複数の電線を、前記入口側で第一方向に向かって外径が大きくなるような配列順にして、最大外径の電線を中心としてそれら複数の電線を捩って前記出口側で前記第一方向に略垂直な第二方向に向かって外径が大きくなるような配列順にして、前記プロテクタ内に配索する電線配索方法。
【０００８】
ここでいう「電線」には、組電線（ワイヤーハーネス）も含まれる。
【００１０】
屈曲部を有するプロテクタ内に外径の異なる複数の電線を配索する場合にそれら電線がプロテクタから飛び出し易くなるが、他にも電線がプロテクタから飛び出し易くなる場合がある。例えば、プロテクタの入口では外径が異なる複数の電線を横並びにして、その並び順を保ったままそれら電線を捩ってプロテクタの出口ではそれらを縦並びにして、複数の電線をプロテクタ内に配索する場合がある。このような場合も、従来は、各電線のプロテクタ内における配索経路が決められておらず、それら電線が無造作にプロテクタ内に収納されており、電線がプロテクタから飛び出し易かった。前記（１）、（２）の構成によれば、このような場合の電線の飛び出しを顕著に防止できる
【００１１】
【発明の実施の形態】
以下、図面に基づいて本発明の実施形態を説明する。図１は、本発明の参考例である電線配索構造を示す斜視図である。この電線配索構造１０は、一方の端部（入口）１４ａと他方の端部（出口）１４ｂとの間に屈曲部１４ｃを有するプロテクタ１５内に、外径の異なる３本の電線１１ａ，１１ｂ，１１ｃを配索してなる。各電線１１ａ〜１１ｃは、異なる本数の心線１２を束にしたものである。これら電線１１ａ〜１１ｃによりワイヤーハーネス１１が構成される。
【００１２】
プロテクタ１５は、長尺平板状部材を面方向に屈曲して平面視略Ｌ字状にした底壁１５ａと、底壁１５ａの両側に立設された側壁１５ｂとを有している。プロテクタ１５は、一定のコ字状断面を有している。プロテクタ１５には、プロテクタ１５の上部開口（配索開口）を覆うカバー１６が取り付けられる。カバー１６は、プロテクター１５との係合を果たす係止部１６ａを有している。
【００１３】
プロテクタ１５内には、屈曲部１４ｃの内周側から外周側に向かって外径が大きくなるような配列順で、３本の電線１１ａ〜１１ｃが互いに交差せずに配索されている。３本の電線１１ａ〜１１ｃは、底壁１５ａ上に設置されている。各電線１１ａ〜１１ｃの一部が底壁１５ａから若干浮き上がることもあるが、電線１１ａ〜１１ｃが互いに交差することはない。電線１１ａ〜１１ｃ間には、介在物がない。
【００１４】
プロテクタ１５内に電線を配索する方法の一例を説明する。先ず、電線１１ａ〜１１ｃを電線の外径が狭い順に、同一平面上或いは空中の仮想平面上に並べる。次に、それら電線１１ａ〜１１ｃの配列順を保ったまま、最小外径の電線１１ｃが内側となるようにそれら電線１１ａ〜１１ｃを平面視概略Ｌ字状に湾曲させ、その状態でそれら電線１１ａ〜１１ｃをプロテクタ１５内に配置する。
【００１５】
他の配索方法も考えられる。例えば、先ずプロテクタ１５の入口１４ａ側のみに、プロテクタ外周側に向かうほど外径が大きくなるような配列順で電線１１ａ〜１１ｃを配置し、その後で屈曲部１４ｃ及び出口１４ｂにそれら電線１１ａ〜１１ｃを配索していくこともできる。また、電線１１ａ〜１１ｃを１本ずつ配索していくこともできる。
【００１６】
以上のような電線配索構造１０によれば、プロテクタ１５内に配索された３本の電線１１ａ〜１１ｃのうち、最大外径の電線１１ａの屈曲部１４ｃにおける曲率が最も小さく、最小外径の電線１１ｃの屈曲部１４ｃにおける曲率が最も大きい。弾性反発力の大きい最大外径の電線１１ａは、あまり曲げられていないので、この電線１１ａには大きな弾性反発力が生じていない。一方、最小外径の電線１１ｃは、３本の電線のうち最も急激に曲げられているものの、この電線１１ｃが持つ弾性反発力がもともと小さいので、この電線１１ｃにも大きな弾性反発力が生じていない。中間外径の電線１１ｂに生じている弾性反発力が、最大外径の電線１１ａ又は最小外径の電線１１ｃに生じている弾性反発力よりも大きくなるということもない。
したがって、この電線配索構造１０によれば、プロテクタ１５内に一旦配索された電線１１ａ〜１１ｃが、カバー１６によってプロテクタ１５の上部開口を覆う前にプロテクタ１５から飛び出して外れることがない。
【００１７】
また、この電線配索構造１０においては、プロテクタ１５が底壁１５ａと側壁１５ｂとのみからなる簡単な形状である。したがって、プロテクタ１５のコストダウンを図ることができる。また、プロテクタ１５の上部開口を介して電線１１ａ〜１１ｃを容易に配索できる。
【００１８】
図２は、本発明の第１実施形態である電線配索構造を示す斜視図である。なお、以下に説明する実施形態において、既に説明した部材等と同様な構成・作用を有する部材等については、図中に同一符号又は相当符号を付すことにより、説明を簡略化或いは省略する。
この電線配索構造３０は、入口３４ａと出口３４ｂとを有するプロテクタ３５内に、外径の異なる３本の電線１１ａ〜１１ｃを配索してなる。このプロテクタ３５は、屈曲部を有していない。プロテクタ３５は、平板状の底壁３５ａと、底壁３５ａの両側に立設された側壁３５ｂとを有している。プロテクタ３５の上部開口を介して、電線１１ａ〜１１ｃが配索されている。
【００１９】
このプロテクタ３５は、入口３４ａ側における配索経路幅（底壁３５ａの幅）Ｗ１が、出口３４ｂ側における配索経路幅Ｗ２より広くなっている。このプロテクタ３５は、入口３４ａ側で電線１１ａ〜１１ｃを横方向に（底壁３５ａの面方向に）並べて配置し、出口３４ｂ側で電線１１ａ〜１１ｃを縦方向に（側壁３５ｂの面方向に）並べて配置するものである。ここでは、入口３４ａ側における電線１１ａ〜１１ｃの配列方向（横方向）と、出口３４ｂ側における電線１１ａ〜１１ｃの配列方向（縦方向）とが垂直になっている。
【００２０】
電線１１ａ〜１１ｃは、プロテクタ３５の入口３４ａと出口３４ｂとの間で、最小外径、中間外径、最大外径、の配列順を保ちつつ、最大外径の電線１１ａを中心として９０°捩られている。
最大外径の電線１１ａは、その電線の軸線回りに捩られているものの、プロテクタ３５の入口３４ａから出口３４ｂに至るまでの全域にわたって、底壁３５ａ上に設置されてほぼ直線状に保たれている。そして、中間外径の電線１１ｂ及び最小外径の電線１１ｃは、各電線の軸線回りに捩られるとともにプロテクタ３５内で底壁３５ａから浮き上がる方向に湾曲されている。中間外径の電線１１ｂの曲率より、最小外径の電線１１ｃの曲率の方が大きい。
【００２１】
プロテクタ３５内に電線を配索する方法の一例を説明する。先ず、電線１１ａ〜１１ｃを電線の外径が狭い順に、同一平面上或いは空中の仮想平面上に並べる。次に、それら電線１１ａ〜１１ｃの配列順を保ったまま、最大外径の電線１１ａを中心として９０°捩り、その状態でそれら電線１１ａ〜１１ｃをプロテクタ３５内に配置する。
【００２２】
以上のような電線配索構造３０によれば、プロテクタ３５内に配索された３本の電線１１ａ〜１１ｃのうち、最大外径の電線１１ａは、その曲率が最も小さくほぼ直線状とされ、最小外径の電線１１ｃの曲率が最も大きい。したがって、プロテクタ３５内に一旦配索された電線１１ａ〜１１ｃが、カバー（図示せず）によってプロテクタ３５の上部開口を覆う前にプロテクタ３５から飛び出して外れることがない。
【００２３】
図３は、本発明の第２実施形態である電線配索構造を示す斜視図である。この電線配索構造５０は、入口５４ａと出口５４ｂとを有するプロテクタ５５内に、外径の異なる３本の電線１１ａ〜１１ｃを配索してなる。このプロテクタ５５は、段差を有する底壁５５ａと、底壁３５ａの両側に立設された側壁５５ｂとを有している。底壁５５ａは、出口５４ｂ側で低くなっている。プロテクタ３５の上部開口を介して、電線１１ａ〜１１ｃが配索されている。
【００２４】
このプロテクタ５５も、入口５４ａ側における配索経路幅（底壁５５ａの幅）Ｗ１が、出口５４ｂ側における配索経路幅Ｗ２より広くなっている。このプロテクタ５５は、入口５４ａ側で電線１１ａ〜１１ｃを横方向に（底壁５５ａの面方向に）並べて配置し、出口５４ｂ側で電線１１ａ〜１１ｃを縦方向に（側壁５５ｂの面方向に）並べて配置するものである。ここでは、入口５４ａ側における電線１１ａ〜１１ｃの配列方向（横方向）と、出口５４ｂ側における電線１１ａ〜１１ｃの配列方向（縦方向）とが垂直になっている。
【００２５】
電線１１ａ〜１１ｃは、プロテクタ５５の入口５４ａと出口５４ｂとの間で、最小外径、中間外径、最大外径、の配列順を保ちつつ、最大外径の電線１１ａを中心として９０°（参考例の捩り方向とは反対方向であり、−９０°ともいえる）捩られている。
最大外径の電線１１ａは、その電線の軸線回りに捩られているものの、プロテクタ５５の入口５４ａから出口５４ｂに至るまでの全域にわたってほぼ直線状に保たれている。そして、中間外径の電線１１ｂ及び最小外径の電線１１ｃは、各電線の軸線回りに捩られるとともにプロテクタ５５内で湾曲されている。中間外径の電線１１ｂの曲率より、最小外径の電線１１ｃの曲率の方が大きい。最小外径の電線１１ｃが、最も底壁３５ａに近い配索経路をとっている。すなわち、プロテクタ５５の出口５４ｂ側では、最も上部開口側に最大外径の電線１１ａが配置され、最も底壁５５ａ側に最小外径の電線１１ｃが配置されている。
【００２６】
以上のような電線配索構造５０によれば、プロテクタ５５内に配索された３本の電線１１ａ〜１１ｃのうち、最大外径の電線１１ａは、その曲率が最も小さくほぼ直線状とされ、最小外径の電線１１ｃの曲率が最も大きい。また、プロテクタ５５の最も上部開口側に配置されてほぼ直線状に保たれた最大外径の電線１１ａが、プロテクタ５５内で湾曲されてプロテクタ５５から飛び出そうとする電線１１ｂ，１１ｃの飛び出しを押さえる。したがって、プロテクタ５５内に一旦配索された電線１１ａ〜１１ｃが、カバー（図示せず）によってプロテクタ５５の上部開口を覆う前にプロテクタ５５から飛び出して外れることがない。
【００２７】
なお、本発明は、前述した実施形態に限定されるものではなく、適宜な変形、改良等が可能である。
例えば、電線の本数は３本に限定されず、２本以上であればよい。例えば、前述した第１、第２実施形態では、プロテクタ３５，５５が屈曲部を有しないものであったが、屈曲部を有する平面視概略Ｌ字状のもの等でもよい。また、第１、第２実施形態では、入口側における電線の配列方向と出口側における電線の配列方向とが垂直にされていたが、例えば、４５°〜１３５°の範囲内とすることもできる。プロテクタのカバーの形態も限定されず、プロテクタの上部開口を部分的に覆うものでもよい。
【００２８】
【発明の効果】
以上のように本発明によれば、プロテクタ内に配索された外径の異なる複数の電線が、プロテクタから外れることがない。
また、プロテクタとして底壁と側壁とのみからなる簡単な形状のものを用いれば、一層のコストダウンが可能になるとともに、電線配索作業をより容易化できる。
【図面の簡単な説明】
【図１】本発明の参考例である電線配索構造の斜視図である。
【図２】本発明の第１実施形態である電線配索構造の斜視図である。
【図３】本発明の第２実施形態である電線配索構造の斜視図である。
【図４】従来のプロテクタを示す斜視図である。
【符号の説明】
１０，３０，５０  電線配索構造
１１ａ〜１１ｃ  電線
１４ａ，３４ａ，５４ａ  入口
１４ｂ，３４ｂ，５４ｂ  出口
１４ｃ  屈曲部
１５，３５，５５  プロテクタ
１５ａ，３５ａ，５５ａ  底壁
１５ｂ，３５ｂ，５５ｂ  側壁
【図１】
0003748365.tif 000002
【図２】
0003748365.tif 000003
【図３】
0003748365.tif 000004
【図４】
0003748365.tif 000005